(57)【特許請求の範囲】
【請求項１】
ユーザー端末は、限定加入者グループＣＳＧセルに常駐し、現在に常駐するソースＣＳＧセルからターゲットＣＳＧセルに再選択されると、前記ソースＣＳＧセルと前記ターゲットＣＳＧセルに同じ周波数優先順位を持たせて再選択を完成させることを含むことを特徴とする家庭用基地局のセル間の再選択方法。
【請求項２】
前記ソースＣＳＧセルと前記ターゲットＣＳＧセルはすべて前記ユーザー端末の常駐を許可し、前記ユーザー端末のホワイトリストに従属すＣＳＧセルまたは限定加入者端末のアクセスを許可するＣＳＧセルを含むことを特徴とする請求項１に記載の方法。
【請求項３】
前記ソースＣＳＧセルと前記ターゲットＣＳＧセルのＣＳＧ  識別子は、同じであってもよいし、または異なってもよいことを特徴とする請求項１に記載の方法。
【請求項４】
前記ユーザー端末は、ＣＳＧ能力をサポートするＣＳＧユーザー端末を含むことを特徴とする請求項１、２、または３に記載の方法。
【請求項５】
ターゲットＣＳＧセルがある周波数は、ソースＣＳＧセルがある周波数と異なる他の周波数であることを特徴とする請求項４に記載の方法。
【請求項６】
ターゲットＣＳＧセルがある周波数優先順位は、ユーザー端末の現在に常駐するソースＣＳＧセルが放送する周波数の再選択優先順位であることを特徴とする請求項４に記載の方法。
【請求項７】
前記ソースＣＳＧセルとターゲットＣＳＧセルとに同じ周波数優先順位を持たせることは、周波数優先順位を設定する方式により、前記周波数優先順位を設定する方式は、具体的には、ソースＣＳＧセルとターゲットＣＳＧセルが同じ周波数優先順位を介して実現され、持つように設定することをもとにして周波数優先順位を設定し、そして、前記同じ周波数優先順位に他の周波数の周波数優先順位より高くなるようにすることができることを特徴とする請求項４に記載の方法。
【請求項８】
前記他の周波数は、ソースＣＳＧセルの位置する周波数とターゲットＣＳＧセルの位置する周波数を排除する他の周波数であって、さらに、前記他の周波数は、周波数上にＣＳＧセルを有しない周波数、または周波数上におけるＣＳＧセルが再選択条件を満たさない周波数であると理解できること特徴とする請求項７に記載の方法。
【請求項９】
前記再選択を完成させることは、具体的には、オフセットに基づくセル再選択方式を採用して、ユーザー端末をソースＣＳＧセルからターゲットＣＳＧセルに再選択させて再選択を完成することを特徴とする請求項４に記載の方法。
【発明の詳細な説明】
【技術分野】
【０００１】
本発明は、家庭用基地局のセル間の再選択技術に関し、特に、無線通信システムにおける家庭用基地局のセル間の再選択方法に関する。
【背景技術】
【０００２】
現在の無線ネットワークシステムの構築において、室内カバーは、ネットワーク構築の最も重要なものとなった。適切な室内カバー案は、ネットワークに最大の程度ほど機能させて、プロバイダーにもっと高い価値を持って来る一方で、プロバイダーのネットワーク構築コストを大きく削減して、確かに低コスト・高所得を実現することができる。現在、ますます多くなる多国籍プロバイダーは、ワンストップ型無線アクセス案を提供することができて、このような無線アクセス設備が各種の無線アクセスの機能を提供できて、ユーザーが家で当該設備を使用するとき、プロバイダーが料金の特恵を提供することが可能となり、このような需要をもとにして、新型の無線アクセス設備、即ち、家庭用基地局が時運に応じて現れることが期待される。家庭用基地局は、新型無線アクセス設備のアクセス解決案として、家庭などの個人場所における固定ネットワークと移動ネットワークという２種の通信方式を巧妙に結合させ、固定と移動の優勢を充分に利用してユーザーとプロバイダーの需要を満足することができる。
【０００３】
家庭用基地局は、基地局の１つであって、個人ユーザーの専用資源として家庭、団体、会社または学校などの個人場所に配置されて使用され、そのカバーする若干のセルが家庭用基地局のカバー領域を構成する。全てのユーザーへサービスを提供する普通の基地局と異なることは、加入者、例えば、家庭メンバー、団体メンバーなどのユーザーだけのアクセスを許可してサービスを提供する。家庭用基地局におけるセルが一部の加入者だけにサービスを提供するため、家庭用基地局にカバーされたセルは、通常に限定加入者グループ（ＣＳＧ、Ｃｌｏｓｅｄ  Ｓｕｂｓｃｒｉｂｅｒ  Ｇｒｏｕｐ）セル、即ち、家庭用基地局セル、即ち、ＣＳＧセルと称される。ＣＳＧセルは、放送メッセージに１つのＣＳＧ指示をキャリーすることでユーザー端末に当該セルがＣＳＧセルであることを表明する。ユーザー端末は、ＣＳＧ能力をサポートするＣＳＧユーザー端末と、ＣＳＧ能力をサポートしないＮｏｎ−ＣＳＧユーザー端末との２種類に分かられ、Ｎｏｎ−ＣＳＧユーザー端末がＣＳＧセルに常駐しないが、ＣＳＧユーザー端末にとって、認可されるＣＳＧセルのみに常駐でき、認可されないＣＳＧセルに常駐できない。ＣＳＧユーザー端末は、常駐許可のＣＳＧセルの識別子をＵＳＩＭカードの１つのホワイトリストと称されるリストに保存する。ＣＳＧユーザー端末は、常に、ホワイトリストに常駐したいセルのセル識別子を探すことで当該セルに常駐できるかを確認する。ＣＳＧセルが公共場所、例えば、学校、工場、公園に広げられて使用されると、さらにオーブンモードまたは混合モードで運行することで、限定加入者端末が当該セルの資源を使用する目的を達成することができる。
【０００４】
一方、セルラー移動通信システムにおいて、切替とセル再選択は、すべて極めて重要な構成部分である。具体的には、ユーザー端末は、１つのセルから離れて他の１つのセルにアクセスするとき、受信した元のセルの信号がますます弱くなるが、受信したアクセスしているセルの信号がますます強くなる。ユーザー端末が信号を受信する質を保証するために、必ず当該ユーザー端末を元の基地局から新たにアクセスした信号が強い基地局に変換しなければならない。接続状態のユーザー端末に対して、このような基地局間の変換が切替と称される。アイドル状態のユーザー端末に対して、ユーザー端末の常駐セルの変更は、セル再選択過程より完成され、再選択待ちのセル、即ち、ターゲットセルを検出して、要求に合致するターゲットセルにセルの再選択を行う必要がある。ＣＳＧセルが料金上の優勢を持つので、普通なセル、即ち、マクロセル上の負荷も大きく軽減するため、ＣＳＧ能力をサポートするＣＳＧユーザー端末は、できるだけ許可されるＣＳＧセルに常駐する。ＣＳＧユーザー端末は、人工または自動的な方式でＣＳＧセルに対する捜索をスタートする。ネットワークプロバイダーは、ネットワーク計画時に一部の物理資源、例えば、物理セル識別子（ＰＣＩ、Ｐｈｙｓｉｃａｌ  Ｃｅｌｌ  Ｉｄｅｎｔｉｔｙ）を保留して、専門にＣＳＧセルに使用され、当該配置を放送またはシグナリングなどの方式でＣＳＧユーザー端末に知らせる。ＣＳＧユーザー端末は、物理層の走査より、セルがＣＳＧセルであるかを判断することができる。
【０００５】
一方、ユーザー端末が信号を受信する質は、ユーザー端末の測定に依頼して完成され、ユーザー端末の電気量消耗を節約するために、できるだけ測定の必要があるターゲットセルを減少する。現在の無線セルラーシステムにおいて、ユーザー端末のセル間の再選択過程での測定策略は、周波数優先順位に基づくセル測定策略である。プロバイダーは、セルネットワークを計画するとき、すべての周波数をいくつかのグループに分けて、グループごとに１つの優先順位を割り当てる。各セルは、自身がある周波数優先順位と隣接のセルがある周波数優先順位を放送する。ユーザー端末は、できるだけ優先順位が高い周波数に常駐することが要求される。具体的には、ユーザー端末が周波数優先順位に基づくセル測定規則は、以下の通りである。まず、常駐セルの周波数優先順位より高い周波数での隣接するセルを周期的に測定する。次に、同一周波数隣接セルの測定に対しては、ただサービスセルの信号の質が閾値より低い時に開始し、さもなくば、ユーザー端末は、測定しない可能性がある。最終、常駐周波数優先順位より低いまたは優先順位と同じ周波数での隣接セルに対しては、ただサービスセルの信号の質が閾値より低い時に測定を開始する。さもなくば、ユーザー端末は、測定しない可能性がある。
【０００６】
よって、従来技術、即ち、優先順位に基づく再選択方法を採用することは、以下のような２つの内容を含む。一方、再選択条件に関して、当該再選択条件としては、測定される周波数ポイントでの１つのセルのＳｎｏｎＳｅｒｖｉｎｇＣｅｌｌ、ｘ値は、ＴｒｅｓｅｌｅｃｔｉｏｎＲＡＴ時間内に閾値Ｔｈｒｅｓｈｘ、ｈｉｇｈより大きい。ｘは、測定される周波数ポイントを表し、ｎｏｎＳｅｒｖｉｎｇＣｅｌｌは、測定されるセルを表し、ＳｎｏｎＳｅｒｖｉｎｇＣｅｌｌ、ｘは、測定されるセルのセル選択受信電圧値を表し、ＴｒｅｓｅｌｅｃｔｉｏｎＲＡＴは、セル再選択測定時間を表し、Ｔｈｒｅｓｈｘ、ｈｉｇｈは、高い優先順位の周波数ポイントへの再選択閾値を表す。一方、当該再選択条件に基づく採用される再選択方法に関して、以下、再選択方法の具体的な処理過程を説明する。
【０００７】
優先順位に基づく再選択方法は、具体的に以下のステップを含む。
【０００８】
ステップ１０１において、１つの高優先順位の周波数ポイント内のあるセルが前記再選択条件を満足し、且つユーザー端末が現在の常駐セルに１秒以上常駐したと、当該セルに再選択する。
【０００９】
ここで、ステップ１０１は、高優先順位の周波数ポイントのセルについて説明するものであって、前記再選択条件を満足したら、再選択を実現することができる。
ステップ１０２において、常駐周波数ポイントが再選択可能なセルがなく、前記再選択条件を満足する高優先順位の周波数ポイントセルがなく、また、常駐セルの測定電圧レベルＳＳｅｒｖｉｎｇＣｅｌｌが閾値Ｔｈｒｅｓｈｓｅｒｖｉｎｇ、ｌｏｗより低くなって、測定される低優先順位の周波数ポイントでの１つのセルのＳｎｏｎＳｅｒｖｉｎｇＣｅｌｌ、ｘ値がＴｒｅｓｅｌｅｃｔｉｏｎＲＡＴ時間内に閾値Ｔｈｒｅｓｈｘ、ｌｏｗより大きいと、当該セルに再選択する。ｘが表す測定される周波数ポイントは、具体的に測定される低優先順位の周波数ポイントであり、ＳｎｏｎＳｅｒｖｉｎｇＣｅｌｌ、ｘが表す測定されるセルのセル選択受信電圧値は、具体的に測定されるセルの測定電圧値であり、ＴｒｅｓｅｌｅｃｔｉｏｎＲＡＴは、セル再選択測定時間を表す。Ｔｈｒｅｓｈｓｅｒｖｉｎｇ、ｌｏｗは、常駐セル低電圧閾値を表示し、Ｔｈｒｅｓｈｘ、ｌｏｗは、低優先順位の周波数ポイント再選択閾値を表す。
【００１０】
ここで、ステップ１０２は、主に高優先順位の周波数ポイントがないセル及び、同じ優先順位の周波数ポイントがないセルの場合について説明するものである。再選択を実現する目的は、もっと低優先順位の周波数ポイントのセルを再選択することにある。
【００１１】
ステップ１０３において、同一周波数セルと同じ優先順位の周波数ポイントセル内の再選択に対して、オフセットに基づくセルの再選択方法で再選択する。
【００１２】
ここで、ステップ１０３は、同じ優先順位の周波数ポイントのセルが同一周波数または異なる周波数にある場合について説明するものである。複数のセルに対してオフセットに基づくセルの再選択方法を採用して再選択を実現すると理解してもよい。
【００１３】
ステップ１０４において、１つの周波数ポイントまたは同じ優先順位の複数の周波数ポイント内に複数のセルが前記再選択条件を満足すると、ユーザー端末は、最も良いセルを再選択のターゲットセルとして選択する。
【００１４】
ここで、ステップ１０４は、複数のセルに対して説明するものであり、最も良いセルを選択することで再選択を実現する。
【００１５】
需要によって指摘ように、ステップ１０１〜ステップ１０４の強調点は、それぞれ異なる。ステップ１０１とステップ１０２は、どのようにセルを選択することを強調するが、ステップ１０３とステップ１０４は、セルを選択した場合で、どのようにセル周波数ポイントの配列順序をさらに選択することを強調する。つまり、ステップ１０１、ステップ１０２及びステップ１０３は、１つの再選択解决案を構成することができ、ステップ１０１、ステップ１０２及びステップ１０４は、１つの再選択解决案を構成してもよい。
【００１６】
上述したように、１つの周波数内に最も良いセルの選択は、１つのオフセットに基づく配列方法である。Ｒｓ＝  Ｑｍｅａｓ、ｓ＋Ｑｈｙｓｔｓ、    Ｒｎ  ＝  Ｑｍｅａｓ、ｎ-Ｑｏｆｆｓｅｔ。ｓは、常駐のセルを表し、ｎは、隣接のセルを表し、Ｑｍｅａｓ、ｓ  は、常駐セルの再選択過程における測定電圧を表し、Ｑｍｅａｓ、ｎは、隣接のセルの再選択過程における測定電圧を表し、Ｑｈｙｓｔｓは、サービスセルの遅滞を表し、Ｑｏｆｆｓｅｔは、隣接セルの電圧オフセット値であり、常駐セル同一周波数隣接セルに対して、Ｑｏｆｆｓｅｔ  ＝  Ｑｏｆｆｓｅｔｓ、ｎ、異なる周波数隣接セルに対して、Ｑｏｆｆｓｅｔ  ＝  Ｑｏｆｆｓｅｔｓ、ｎ  ＋  Ｑｏｆｆｓｅｔｆｒｅｑｕｅｎｃｙ、Ｑｏｆｆｓｅｔｓ、ｎは、セル階層のオフセットであり、Ｑｏｆｆｓｅｔｆｒｅｑｕｅｎｃｙは、周波数階層のオフセットである。ユーザー端末は、全てのＲ値を配列し、最も良いセルを第１位に配列して、最も良いセルを再選択する。隣接するセルの再選択難易程度がセルの無線の質以外に、Ｑｏｆｆｓｅｔの値の大さに依頼するため、このような方法は、オフセットに基づくセルの再選択方法とも称される。
【００１７】
ＣＳＧセルの設定がマクロセルにとっては予知できないものであるため、つまり、マクロセルに対してネットワークを計画するとき、隣接していくらのＣＳＧセルが存在するか、これらのＣＳＧセルがそれぞれどれらの周波数ポイントに存在するかを知ることができない。ＣＳＧセルは、確立時に最も良い効果を奏するために、できるだけ隣接のセルとの干渉を避けて、すべての周波数ポイントを走査することで最小干渉の周波数ポイントを探す。そのため、ＣＳＧセルは、いずれの許可される周波数ポイントに現れ、マクロセルの隣接セルの周波数ポイントに現れ、他の単独の周波数ポイントに現れる可能性がある。ＣＳＧ  ユーザー端末は、以上の優先順位に基づく再選択方法で再選択するならば、ＣＳＧセルの周波数ポイントがちょうど同じ優先順位または低優先順位の周波数ポイントであると、ＣＳＧセル上に再選択することが難しい。そのため、ＣＳＧセルに対して、特に１セットの再選択規則を規定して、以下のとおりである。
【００１８】
ＣＳＧセルの再選択規則については、非ＣＳＧセルからＣＳＧセルに再選択する場合で、即ち、ＣＳＧ  ユーザー端末は、１つの非ＣＳＧセルに常駐すると、自動的にＣＳＧセルを捜索して調べて、１つの適当なＣＳＧセルを調べ、且つこのＣＳＧセルがその存在する周波数ポイントの無線の質の最も良いセルであると、当該周波数ポイントのもとの優先順位に関わらず、当該ＣＳＧセル上に再選択することができる。このような再選択規則は、隠的優先順位の規則と称される。
【００１９】
ＣＳＧユーザー端末は、１つの適当なＣＳＧセルに常駐すると、当該ＣＳＧがある周波数ポイント優先順位が最高優先順位であると認めて、セルの再選択時に以上の優先順位に基づく再選択方法でセルを再選択する。このように、以上のユーザー端末が周波数の優先順位に基づくセルの測定規則によって、ユーザー端末がＣＳＧセルに常駐すると、セル無線信号の質が同一周波数と異なり周波数測定閾値より高いとき、ＣＳＧユーザー端末は、いずれの他の測定をしない。このような処理より、ユーザー端末の待機状態での電気消費量をより大きく減少することができる。
【００２０】
しかしながら、以上の説明によって、ＣＳＧユーザー端末は、ＣＳＧセルに常駐すると、セルがある周波数ポイント優先順位が最も良く、いずれの隣接の周波数ポイントの優先順位より高いと認める。このように、以下のような２つの問題を引き起する。一、ＣＳＧユーザー端末が自身がある周波数ポイントの周波数優先順位が最も良いと認めるため、そのほかの周波数ポイントでの同様に適当となることができるＣＳＧセルが再選択されることが難しくなる。二、ユーザー端末がＣＳＧセルに常駐するとき、セルの再選択時にユーザー端末が以上の優先順位に基づく再選択方法に従うため、このようにセルの放送に周波数の優先順位を設定した後、これらの周波数ポイントでのＣＳＧセル間に異なる優先順位を持つことなる。要するに、従来技術を採用すれば、ＣＳＧセル間のレベルが不平等であるので、それぞれ自身の優先順位を持ち、且つ自身の優先順位が最も良い優先順位であると黙認するが、以上の優先順位に基づく再選択方法は、最高優先順位に基づいて高から低へ配列して、再選択を実現する方法であって、目的としては、ユーザー端末を最高優先順位の周波数ポイントがあるターゲットセルに再選択する。そのため、従来技術の再選択策略を採用して、有効的に再選択を実現することが難しいため、ユーザー端末の信号の質が悪くなる。
【発明の概要】
【課題を解決するための手段】
【００２１】
従来技術の再選択策略が有効に再選択を実現することが難しいため、ユーザー端末の信号の質が悪くなる問題について、本発明の主な目的とするところは、ＣＳＧセルの間のレベルが平等であることを保証し、ソースＣＳＧセルとその再選択待ちのターゲットＣＳＧセルとの間に同じ優先順位を持たせて、有効的に再選択を実現して、ユーザー端末の信号の質を向上する目的を達成するように、家庭用基地局のセル間の再選択方法を提供することにある。
【００２２】
本発明に係る家庭用基地局のセル間の再選択方法は、ユーザー端末が限定加入者グループＣＳＧセルに常駐し、現在の常駐するソースＣＳＧセルからターゲットＣＳＧセルに再選択すると、前記ソースＣＳＧセルと前記ターゲットＣＳＧセルとが同じ周波数優先順位を持たせて、再選択を完成させる。
【００２３】
最適に、ソースＣＳＧセルとターゲットＣＳＧセルは、すべてユーザー端末の常駐を許可し、ユーザー端末のホワイトリストに従属するＣＳＧセル、または限定加入者端末のアクセスを許可するＣＳＧセルを含む。
【００２４】
最適に、ソースＣＳＧセルとターゲットＣＳＧセルのＣＳＧ  識別子は、同じである、または、異なる。
【００２５】
最適に、ユーザー端末は、ＣＳＧ能力をサポートするＣＳＧユーザー端末を含む。
【００２６】
最適に、ターゲットＣＳＧセルがある周波数は、ソースＣＳＧセルがある周波数と異なる他の周波数である。
【００２７】
最適に、ターゲットＣＳＧセルにある周波数優先順位は、ユーザー端末が現在に常駐するソースＣＳＧセルが放送する周波数の再選択優先順位である。
【００２８】
最適に、ソースＣＳＧセルとターゲットＣＳＧセルに同じ周波数優先順位を持たせることは、前記周波数優先順位を設定する方式により、前記周波数優先順位を設定する方式は、具体的には、ソースＣＳＧセルとターゲットＣＳＧセルとが同じ周波数優先順位を介して実現され、持つように設定することをもとにして周波数優先順位を設定し、そして、前記同じ周波数優先順位に他の周波数の周波数優先順位より高くなるようにすることができる。
【００２９】
最適に、他の周波数は、ソースＣＳＧセルの位置する周波数とターゲットＣＳＧセルの位置する周波数を排除する他の周波数である。前記他の周波数は、周波数上にＣＳＧセルを有しない周波数、または周波数上におけるＣＳＧセルが再選択条件を満たさない周波数であると理解してもよい。
【００３０】
最適に、再選択を完成させることは、具体的には、オフセットに基づくセルの再選択方式を採用して、ユーザー端末をソースＣＳＧセルからターゲットＣＳＧセルに再選択して再選択を完成する。
【００３１】
本発明に係る方法は、ユーザー端末がＣＳＧセルに常駐し、現在の常駐するソースＣＳＧセルからターゲットＣＳＧセルに再選択すると、周波数優先順位を設定し、ソースＣＳＧセルとターゲットＣＳＧセルに同じ周波数優先順位を持たせて、ユーザー端末をソースＣＳＧセルからターゲットＣＳＧセルに再選択させる。
【００３２】
本発明によって、ＣＳＧセル間のレベルの平等を保証し、ソースＣＳＧセルとその再選択待ちのターゲットＣＳＧセルとに同じ優先順位を持たせて、上記の優先順位が周波数の優先順位であって、変更された再選択策略及び以上の優先順位に基づく再選択方法によって有効的な再選択を実現して、ユーザー端末の信号の質を向上する目的を達成する。つまり、ユーザー端末が常駐するＣＳＧセルに以上の優先順位に基づく再選択方法に従って、ＣＳＧセル間の優先順位が同じであることを確保できない問題を解決して、同様にアクセス可能なＣＳＧセル間に同じ優先順位を持たせる。
【図面の簡単な説明】
【００３３】
ここで記載する添付図面は本発明を更に説明する用であり、本発明の一部を構成し、示した実施の形態とその説明は本発明を解釈する用であり、本発明に対する不当な限定ではない。
【図１】本発明に係る実施例における家庭用基地局のセル間の再選択方法のプロチャートである。
【図２】本発明に係る１つの実施例における優先順位よる再選択を示す図である。
【図３】本発明に係る１つの実施例における優先順位に基づく再選択を示す図である。
【発明を実施するための形態】
【００３４】
機能概要
本発明は、従来技術の再選択策略が有効的に再選択を実現することが難しいため、ユーザー端末の信号の質が悪くなる問題に鑑みてなされるものであり、ユーザー端末が現在常駐するソースＣＳＧセルからターゲットＣＳＧセルに再選択すると、周波数優先順位を設定し、ソースＣＳＧセルとターゲットＣＳＧセルに同じ周波数優先順位を持たせて、ユーザー端末をソースＣＳＧセルからターゲットＣＳＧセルに再選択させる家庭用基地局のセル間の再選択方法を提供する。
【００３５】
以下に添付図面を参照しながら実施例について詳細に説明する。なお、需要によって説明するように、衝突しない場合で、本発明にける実施例及びその特徴は、相互に組合せてもよい。
【００３６】
図１は、本発明に係る実施例における家庭用基地局のセル間の再選択方法のフローチャートである。図１に示すように、当該方法は、以下のようなステップ１０１〜ステップ１０３を含む。
【００３７】
ステップ１０１：ユーザー端末は、ＣＳＧセルに常駐する。
【００３８】
ここで、ＣＳＧセルは、即ち、家庭用基地局セルである。
【００３９】
ステップ１０２：１つの周波数ポイントでのＣＳＧセルを見つけて再選択条件満足して、ソースＣＳＧセルとターゲットＣＳＧセルに同じ周波数優先順位を持たせる。
【００４０】
ステップ１０１とステップ１０２については、ここで、ソースＣＳＧセルとターゲットＣＳＧセルは、すべてユーザー端末の常駐を許可する。ソースＣＳＧセルとターゲットＣＳＧセルは、すべてユーザー端末のホワイトリストに従属するＣＳＧセル、または限定加入者端末のアクセスを許可するＣＳＧセル、例えば、ユーザー端末に従属してオーブンモードで認可してアクセスするＣＳＧセルを含む。つまり、ソースＣＳＧセルとターゲットＣＳＧセルのタイプは、ユーザー端末のホワイトリストにおけるＣＳＧセルであってもよいし、いずれのユーザー端末が認可されてアクセスするＣＳＧセルであってもよい。
【００４１】
ここで、ソースＣＳＧセルとターゲットＣＳＧセルのＣＳＧ  識別子は、同じであってもよいし、異なってもよい。ユーザー端末は、ＣＳＧ能力をサポートするＣＳＧユーザー端末を含む。
【００４２】
ここで、ターゲットＣＳＧセルがある周波数は、ソースＣＳＧセルがある周波数と異なるほかの周波数である。つまり、他の周波数は、ソースＣＳＧセルがある周波数を排除する以外の周波数である。
【００４３】
ここで、ターゲットＣＳＧセルがある周波数優先順位は、ユーザー端末の現在に常駐するソースＣＳＧセルが放送する周波数の再選択優先順位である。なお、需要によって指摘するように、ユーザー端末は、ＣＳＧセルに常駐し、他の１つの周波数でのターゲットＣＳＧセルに再選択される必要があると、当該ターゲットＣＳＧセルの元の周波数優先順位に関わらず、ソースＣＳＧセルとターゲットＣＳＧセルが同じ周波数優先順位を持つと認める。このターゲットＣＳＧセルの元の周波数優先順位は、ここの関わるターゲットＣＳＧセルがある周波数優先順位である。
【００４４】
ここで、ソースＣＳＧセルとターゲットＣＳＧセルに同じ周波数優先順位を持たせることは、周波数優先順位を設定する方式で実現でき、具体的には、ソースＣＳＧセルとターゲットＣＳＧセルが同じ周波数優先順位を持つように設定することをもとにして周波数優先順位を設定し、同じ周波数優先順位に他の周波数の周波数優先順位より高くならせる。ここの他の周波数は、ソースＣＳＧセルがある周波数とターゲットＣＳＧセルがある周波数を排除する以外の周波数である。ここの他の周波数は、周波数上にＣＳＧセルがない周波数または周波数上のＣＳＧセルが前記再選択条件を満足しない周波数であると理解してもよい。
【００４５】
ステップ１０３：再選択を完成させ、例えば、ユーザー端末をソースＣＳＧセルからターゲットＣＳＧセルに再選択させる。
【００４６】
ここで需要によって指摘するように、ステップ１０３において、ユーザー端末をソースＣＳＧセルからターゲットＣＳＧセルに再選択させる、即ち、以上の従来の優先順位に基づく再選択方法を採用する。本発明は、従来技術に対して、再選択策略を変更した。変更された再選択策略は、ＣＳＧセル間のレベルが平等であることを保証して、ソースＣＳＧセルとその再選択待ちのターゲットＣＳＧセルに同じ優先順位を持たせる。ここで、優先順位は、周波数優先順位であって、変更された再選択策略及び、優先順位に基づく再選択方法を採用することで有効的な再選択を実現する。例えば、ユーザー端末をソースＣＳＧセルからターゲットＣＳＧセルに再選択させることは、具体的には、オフセットに基づくセルの再選択方式を採用して配列して再選択を完成させることであってもよい。。
【００４７】
実例１：本実例は、図２に示す優先順位に基づく再選択を示す図である。図２におけるＣＳＧセルは、左斜線で充填して表される。
【００４８】
ＣＳＧユーザー端末は、周波数ＡのＣＳＧセルＨ＿ａ１に常駐して、放送より他の２つの周波数ＢとＣの、順が順次Ｆ＿ａ  ＞  Ｆ＿ｂ  ＞  Ｆ＿ｃである優先順位Ｆ＿ｂ、Ｆ＿ｃを得る。ＣＳＧユーザー端末が周波数ＢにマクロセルＭ＿ｂ１を捜索した場合、周波数ポイントＣは、ＣＳＧを走査して保留したＰＣＩより、  ＣＳＧセルＨ＿ｃ１とマクロセルＭ＿ｃ１を捜索した。Ｈ＿ａ１とＨ＿ｃ１は、同一のＣＳＧに属し、同じＣＳＧ識別子を持つ。当該ＣＳＧ識別子は、ユーザー端末のホワイトリストに探し当てることができる。ＣＳＧ  ユーザー端末がＨ＿ａ１に常駐するので、周波数優先順位が最高の優先順位であると認められ、現在の条件でＦ＿ａがすでに最高の優先順位となったため、修正する必要がない。Ｈ＿ｃ１が周波数ポイントＣ上の最も良いセルになると、ＣＳＧ  ユーザー端末は、Ｈ＿ｃ１を再選択可能なセルに入れる。この場合、周波数Ｃの優先順位は、最高になって、Ｆ＿ｃ’＝Ｆ＿ａに設定される。そのため、各周波数ポイントの優先順位の順は、Ｆ＿ａ  ＝  Ｆ＿ｃ’  ＞  Ｆ＿ｂである。優先順位に基づく再選択法則に従って、Ｈ＿ａ１とＨ＿ｃ１がある周波数優先順位が同じであって、オフセットに基づくセル再選択方法で配列した後、Ｔｒｅｓｅｌｅｃｔｉｏｎ時間にＲＨ＿ｃ１＞ＲＨ−ａ１を満足しすると、ＣＳＧユーザー端末は、ＣＳＧセルＨ＿ｃ１に再選択される。
【００４９】
実例２：本実例は、図２に示す優先順位に基づく再選択を示す図である。図２におけるＣＳＧセルは、左斜線で充填して表される。
【００５０】
ＣＳＧユーザー端末は、周波数ＡのＣＳＧセルＨ＿ａ１に常駐して、放送より他の２つの周波数ＢとＣの、順が順次Ｆ＿ａ  ＞  Ｆ＿ｂ  ＞  Ｆ＿ｃである優先順位Ｆ＿ｂ、Ｆ＿ｃを得る。ＣＳＧユーザー端末が周波数ＢにマクロセルＭ＿ｂ１を捜索した場合、、周波数ポイントＣは、ＣＳＧを走査することで保留したＰＣＩより、  ＣＳＧセルＨ＿ｃ１とマクロセルＭ＿ｃ１を捜索した。Ｈ＿ａ１とＨ＿ｃ１は、同一のＣＳＧに属し、同じＣＳＧ識別子を持つ。当該ＣＳＧ識別子は、ユーザー端末のホワイトリストに探し当てることができる。ＣＳＧ  ユーザー端末がＨ＿ａ１に常駐するので、周波数優先順位が最高の優先順位のＦ＿ａ’であって、従来の定義された優先順位より大きい優先順位であって、Ｆ＿ａ’＞Ｆ＿ａ＞Ｆ＿ｂ＞Ｆ＿ｃと認められる。Ｈ＿ｃ１が周波数ポイントＣ上の最も良いセルになると、ＣＳＧ  ユーザー端末は、Ｈ＿ｃ１を再選択可能なセルに入れる。この場合、周波数Ｃの優先順位は、最高になって、Ｆ＿ｃ’＝Ｆ＿ａに設定される。そのための、各周波数ポイントの優先順位の順は、Ｆ＿ａ  ’＝  Ｆ＿ｃ’  ＞  Ｆ＿ｂである。優先順位に基づく再選択法則に従って、Ｈ＿ａ１とＨ＿ｃ１がある周波数優先順位が同じであって、オフセットに基づくセル再選択方法で配列した後、Ｔｒｅｓｅｌｅｃｔｉｏｎ時間にＲＨ＿ｃ１＞ＲＨ−ａ１を満足すると、ＣＳＧユーザー端末は、ＣＳＧセルＨ＿ｃ１に再選択される。
【００５１】
実例３：本実例は、図３に示す優先順位に基づく再選択を示す図である。図３におけるＣＳＧセルは、左斜線で充填して表される。
【００５２】
ＣＳＧ  ユーザー端末は、周波数ＡのＣＳＧセルＨ＿ａ１に常駐し、放送より他の１つの周波数Ｂを得て、優先順位の順をＦ＿ｂ  ＞Ｆ＿ａ  に黙然して設定する。ＣＳＧユーザー端末は、他の１つの周波数ポイントＣを見つけたが、Ｃ周波数ポイントがＨ＿ａ１に放送されない。ＣＳＧユーザー端末は、周波数ＡにマクロセルＭ＿ａ１を探し当てる場合、周波数ＢにマクロセルＭ＿ｂ１を、周波数ポイントＣにＣＳＧセルＨ＿ｃ１とマクロセルＭ＿ｃ１を探し当てる。Ｈ＿ａ１とＨ＿ｃ１は、異なるＣＳＧに属し、異なるＣＳＧ識別子を持つ。この２つのＣＳＧ  識別子は、すべてユーザー端末のホワイトリストに探し当てることができる。ＣＳＧ  ユーザー端末がＨ＿ａ１に常駐するので、周波数優先順位は、新たにＦ＿ａ’、且つＦ＿ａ’＞Ｆ＿ｂに設定される。Ｈ＿ｃ１が周波数ポイントＣでの最も良いセルになると、ＣＳＧ  ユーザー端末は、Ｈ＿ｃ１を再選択可能なセルに入れる。この場合、周波数Ｃ優先順位は、最も高くなり、Ｆ＿ｃ’＝Ｆ＿ａ’に設定される。Ｆ＿ａ’＝Ｆ＿ｃ’＞Ｆ＿ｂ、再選択法則に従って、Ｈ＿ａ１とＨ＿ｃ１がある周波数優先順位が同じであって、オフセットに基づくセル再選択方法によって配列した後、セルＨ＿ａ１より周波数ポイントＡの再選択時間Ｔｒｅｓｅｌｅｃｔｉｏｎを放送し、Ｔｒｅｓｅｌｅｃｔｉｏｎ時間内にＲＨ＿ｃ１＞ＲＨ−ａ１を満足すると、ＣＳＧユーザー端末は、ＣＳＧセルＨ＿ｃ１に再選択される。
【００５３】
明らかに、本分野の当業者は、上述した本発明の各モジュールまたは各ステップが汎用の計算装置により実現でき、それらが単一の計算装置に集中される、または、複数の計算装置からなるネットワークに配布してもよい、選択可能には、それらが計算装置実行可能プログラムコードで実現されることができて、したがって、それらを記憶装置に記憶して計算装置より実行される、または、それらを別々の集積回路モジュールにそれぞれに作成する、または、それらのうちの複数のモジュール或いはステップを単一の集積回路モジュールに作成して実現されることができると理解すべきである。このように、本発明は、いかなる特定ハードウエアのとソフトウエアの結合にも制限されない。
【００５４】
上述したものは、本発明の好適な実施形態だけであるが、本発明を限定することに用いられるものではなく、当業者にとっては、様々な変更と変化を実施することができる。実質及び要旨を逸脱しない範囲で、当業者が本発明に対して行った様々の修正、等同切替、改良などは、本発明の特許請求の範囲に含まれると理解すべきである。
【図１】
0005254464.tif 000002
【図２】
0005254464.tif 000003
【図３】
0005254464.tif 000004